(57)【要約】【課題】簡単にユーザー好みの画質特性の設定ができるプロジェクタを提供する。【解決手段】画像インタフェース１、画像処理手段２、表示パラメータインタフェース３、外部記憶媒体４、内部記憶手段５、制御手段（マイコン）６、画像投写手段７を備え、表示パラメータの設定値を外部記憶媒体４に格納させるので、表示パラメータの量には制限がなくなり、かつ、初めて使用するプロジェクタにおいても、表示パラメータの設定値を外部記憶媒体４から読み込ませることで、通常使用する投写画質と同じような状態でプロジェクタを使用することが可能になる。【選択図】      図１
2005099620.tif 000002
【特許請求の範囲】
【請求項１】
入力画像データを好みの画質で投写するためにあらかじめ設定した表示パラメータの設定値を内部記憶手段または外部記憶媒体に選択的に格納する表示パラメータ格納制御機能を有することを特徴とするプロジェクタ。
【請求項２】
入力画像データを好みの画質で投写するためにあらかじめ設定した表示パラメータの設定値を格納する外部記憶媒体と、前記表示パラメータを前記外部記憶媒体から入出力するための表示パラメータインタフェース手段と、前記表示パラメータを設定するためのパラメータ設定用オンスクリーンメニューと、前記表示パラメータを内部記憶手段および前記外部記憶媒体のうちの一方を選択するための選択操作用オンスクリーンメニューと、待機状態時に前記外部記憶媒体の挿入に応答して、その挿入状態を認識するとともに前記表示パラメータインタフェース手段を介して前記外部記憶媒体から前記表示パラメータを読み込み、読み込んだ前記表示パラメータに基づき投写動作を実行させ、かつこれらの構成要素間の協働動作を制御する制御手段とを備えることを特徴とするプロジェクタ。
【請求項３】
入力画像データを好みの画質で投写するためにあらかじめ設定した表示パラメータの設定値を格納する外部記憶媒体と、前記表示パラメータおよび前記画像データをそれぞれ前記外部記憶媒体から入出力するための画像／表示パラメータインタフェース手段と、前記表示パラメータを設定するためのパラメータ設定用オンスクリーンメニューと、前記表示パラメータを内部記憶手段および前記外部記憶媒体のうちの一方を選択するための選択操作用オンスクリーンメニューと、前記画像データを取り込み投写処理する画像処理手段と、待機状態時に前記外部記憶媒体の挿入に応答して、その挿入状態を認識するとともに前記表示パラメータインタフェース手段を介して前記外部記憶媒体から前記表示パラメータを読み込み、読み込んだ前記表示パラメータに基づき投写動作を実行させ、かつこれらの構成要素間の協働動作を制御する制御手段とを備えることを特徴とするプロジェクタ。
【請求項４】
入力画像データを好みの画質で投写するプロジェクタにおいて、前記好みの画質で投写するためにあらかじめ設定した表示パラメータの設定値が格納されるとともに複数の前記プロジェクタに共用される単一の外部記憶媒体と、前記表示パラメータを前記外部記憶媒体から入出力するための表示パラメータインタフェース手段と、前記表示パラメータを設定するためのパラメータ設定用オンスクリーンメニューと、前記表示パラメータを内部記憶手段および前記外部記憶媒体のうちの一方を選択するための選択操作用オンスクリーンメニューと、前記表示パラメータに基づき投写動作を実行させ、かつこれらの構成要素間の協働動作を制御する制御手段とを備えることを特徴とするプロジェクタ。
【請求項５】
入力画像データを好みの画質で投写するためにあらかじめ設定した表示パラメータの設定値を格納する外部記憶媒体と、前記表示パラメータおよび前記画像データをそれぞれ前記外部記憶媒体から入出力するための画像／表示パラメータインタフェース手段と、前記表示パラメータを設定するためのパラメータ設定用オンスクリーンメニューと、前記表示パラメータを内部記憶手段および前記外部記憶媒体のうちの一方を選択するための選択操作用オンスクリーンメニューと、前記画像データを取り込み投写処理する画像処理手段と、待機状態時に前記外部記憶媒体の挿入に応答して、その挿入状態を認識するとともに前記表示パラメータインタフェース手段を介して前記外部記憶媒体から前記表示パラメータを読み込み、読み込んだ前記表示パラメータに基づき投写動作を実行させ、かつこれらの構成要素間の協働動作を制御する制御手段とを備え、前記制御手段の制御に基づき複数の前記プロジェクタ間で前記外部記憶媒体を互いに共有することを特徴とするプロジェクタ。
【請求項６】
前記外部記憶媒体に格納された前記表示パラメータとして、少なくとも画面の明度、輝度、彩度、色相、ガンマ補正値、色温度およびホワイトバランスの設定値を含む画像調整値と、少なくともアスペクトおよび解像度の設定値を含む画像調整値とで構成する請求項１，２，３，４または５記載のプロジェクタ。
【請求項７】
複数の前記外部記憶媒体を有し、前記外部記憶媒体それぞれには前記表示パラメータとして互いに異なる値が設定されている請求項１，２，３，４または５記載のプロジェクタ。
【請求項８】
前記外部記憶媒体が半導体素子で構成された媒体である請求項１，２，３または４記載のプロジェクタ。
【請求項９】
前記外部記憶媒体に格納された前記表示パラメータの設定値を第三者の改ざんから保護するセキュリティ機能を有する請求項１，２，３，４または５記載のプロジェクタ。
【請求項１０】
入力画像データを好みの画質で投写するためにあらかじめ設定した表示パラメータの設定値を格納する外部記憶媒体と、前記表示パラメータを前記外部記憶媒体から入出力するための表示パラメータインタフェース手段と、前記表示パラメータを設定するためのパラメータ設定用オンスクリーンメニューと、前記表示パラメータを内部記憶手段および前記外部記憶媒体のうちの一方を選択するための選択操作用オンスクリーンメニューと、前記表示パラメータに基づき投写動作を実行させ、かつこれらの構成要素間の協働動作を制御する制御手段とを備え、前記外部記憶媒体の表示パラメータ使用時には、操作者が前記外部記憶媒体を挿入し、かつ前記選択操作用オンスクリーンメニューを有効状態にするとともに、前記有効状態に応答して、前記制御手段が前記表示パラメータインタフェース手段を介して前記外部記憶媒体から表示パラメータを読込み、読み込んだ表示パラメータに基づき投写動作を実行させることを特徴とするプロジェクタの表示パラメータ書込み読出し方法。
【請求項１１】
入力画像データを好みの画質で投写するためにあらかじめ設定した表示パラメータの設定値を格納する外部記憶媒体と、前記表示パラメータを前記外部記憶媒体から入出力するための表示パラメータインタフェース手段と、前記表示パラメータを設定するためのパラメータ設定用オンスクリーンメニューと、前記表示パラメータを内部記憶手段および前記外部記憶媒体のうちの一方を選択するための選択操作用オンスクリーンメニューと、前記表示パラメータに基づき投写動作を実行させ、かつこれらの構成要素間の協働動作を制御する制御手段とを備え、
待機状態時に前記外部記憶媒体を挿入すると、その挿入された外部記憶媒体を前記制御手段が認識するとともに前記表示パラメータインタフェース手段を介して前記外部記憶媒体から前記表示パラメータを読み込み、読み込んだ前記表示パラメータに基づき投写動作を実行させることを特徴とするプロジェクタの表示パラメータ書込み読出し方法。
【請求項１２】
入力画像データを好みの画質で投写するプロジェクタの表示パラメータ書込み読出し方法において、前記好みの画質で投写するためにあらかじめ設定した表示パラメータの設定値を格納する単一の外部記憶媒体と、前記表示パラメータを前記外部記憶媒体から入出力するための表示パラメータインタフェース手段と、前記表示パラメータを設定するためのパラメータ設定用オンスクリーンメニューと、前記表示パラメータを内部記憶手段および前記外部記憶媒体のうちの一方を選択するための選択操作用オンスクリーンメニューと、前記表示パラメータに基づき投写動作を実行させ、かつこれらの構成要素間の協働動作を制御する制御手段とを備え、前記制御手段の制御に基づき複数の前記プロジェクタ間で単一の前記外部記憶媒体を互いに共用することを特徴とするプロジェクタの表示パラメータ書込み読出し方法。
【請求項１３】
入力画像データを好みの画質で投写するためにあらかじめ設定した表示パラメータの設定値を格納する外部記憶媒体と、前記表示パラメータおよび前記画像データをそれぞれ前記外部記憶媒体から入出力するための画像／表示パラメータインタフェース手段と、前記表示パラメータを設定するためのパラメータ設定用オンスクリーンメニューと、前記表示パラメータを内部記憶手段および前記外部記憶媒体のうちの一方を選択するための選択操作用オンスクリーンメニューと、前記画像データを取り込み投写処理する画像処理手段と、待機状態時に前記外部記憶媒体の挿入に応答して、その挿入状態を認識するとともに前記表示パラメータインタフェース手段を介して前記外部記憶媒体から前記表示パラメータを読み込み、読み込んだ前記表示パラメータに基づき投写動作を実行させ、かつこれらの構成要素間の協働動作を制御する制御手段とを備え、
待機状態時に前記外部記憶媒体を挿入すると、その挿入された外部記憶媒体を前記制御手段が認識するとともに前記画像／表示パラメータインタフェース手段を介して前記外部記憶媒体から前記表示パラメータおよび前記画像データをそれぞれ読み込み、読み込んだ前記表示パラメータに基づき前記画像データの投写動作を実行させることを特徴とするプロジェクタの表示パラメータ書込み読出し方法。
【請求項１４】
入力画像データを好みの画質で投写するためにあらかじめ設定した表示パラメータの設定値を格納する外部記憶媒体と、前記表示パラメータを前記外部記憶媒体から入出力するための表示パラメータインタフェース手段と、前記表示パラメータを設定するためのパラメータ設定用オンスクリーンメニューと、前記表示パラメータを内部記憶手段および前記外部記憶媒体のうちの一方を選択するための選択操作用オンスクリーンメニューと、前記表示パラメータに基づき投写動作を実行させ、かつこれらの構成要素間の協働動作を制御する制御手段とを用いて、
操作者が前記表示パラメータを設定した結果の設定値をプロジェクタ内部に格納させるか、外部記憶媒体に格納させるかを選択するステップと、操作者がプロジェクタ内部に格納させる方を選択した場合は、前記制御御手段がそのまま処理を終了するステップと、操作者が外部記憶媒体に設定を格納する方を選択した場合は、前記制御手段が外部記憶媒体の装着を確認するステップと、
確認の結果、外部記憶媒体が未装着と認知された場合は前記制御手段がエラー処理を行って外部記憶媒体に設定値を格納しないで終了するステップと、
確認の結果、外部記憶媒体が装着されていた場合は、前記制御手段が設定値に対して保護およびセキュリティ処理を施した後、再びその設定を読み込んでプロジェクタの投写画面に反映できる処理を施すステップと、
その反映できる処理を施した設定値を外部記憶媒体に格納し終了するステップと、を実行することを特徴とするプロジェクタの表示パラメータ書込み読出し方法。
【請求項１５】
前記エラー処理は、前記設定値が格納できなった旨を操作者に対し知らせるステップである請求項１４記載のプロジェクタの表示パラメータ書込み読出し方法。
【請求項１６】
前記保護およびセキュリティ処理を施されて前記外部記憶媒体に格納された設定値をプロジェクタに読み込ませる処理ステップは、前記制御手段が、外部記憶媒体に格納された設定値の前記保護・セキュリティのチェックを行い、前記設定値に信頼性があるかを確認するステップと、
確認の結果、前記設定値が第三者によって改ざんされていることが認識された場合、設定値の読み込みを中断し、前記設定値が無効である旨を操作者に知らせて終了するステップと、前記制御手段が、外部記憶媒体に格納されている前記設定値を信頼性ありと判断した場合、その設定値を内部に読み込ませて前記表示パラメータの設定値に反映させた後、処理を終了させるステップと、を実行させる前記外部記憶媒体に格納された請求項１４記載のプロジェクタの表示パラメータ書込み読出し方法。
【請求項１７】
入力画像データを好みの画質で投写するためにあらかじめ設定した表示パラメータの設定値を格納する外部記憶媒体と、前記表示パラメータを前記外部記憶媒体から入出力するための表示パラメータインタフェース手段と、前記表示パラメータを設定するためのパラメータ設定用オンスクリーンメニューと、前記表示パラメータを内部記憶手段および前記外部記憶媒体のうちの一方を選択するための選択操作用オンスクリーンメニューと、前記表示パラメータに基づき投写動作を実行させ、かつこれらの構成要素間の協働動作を制御する制御手段とを用いて、
操作者が、前記表示パラメータを設定した結果の設定値をプロジェクタ内部に格納させるか、外部記憶媒体に格納させるかを選択するステップで操作者がプロジェクタ内部に格納させる方を選択した結果に応答して、前記制御御手段がそのまま処理を終了するステップと、操作者が外部記憶媒体に設定を格納する方を選択した結果に応答して、前記制御手段が外部記憶媒体の装着を確認するステップと、確認の結果、外部記憶媒体が未装着と認知された場合は前記制御手段がエラー処理を行って外部記憶媒体に設定値を格納しないで終了するステップと、確認の結果、外部記憶媒体が装着されていた場合は、前記制御手段が設定値に対して保護およびセキュリティ処理を施した後、再びその設定を読み込んでプロジェクタの投写画面に反映できる処理を施すステップと、その反映できる処理を施した設定値を外部記憶媒体に格納し終了するステップとを、前記制御手段のマイクロコンピュータに実行させるプログラム。
【請求項１８】
前記エラー処理は、前記設定値が格納できなった旨を操作者に対し知らせるステップである請求項１６記載のプログラム。
【請求項１９】
前記保護およびセキュリティ処理を施されて前記外部記憶媒体に格納された設定値をプロジェクタに読み込ませる処理ステップは、前記制御手段が、外部記憶媒体に格納された設定値の前記保護・セキュリティのチェックを行い、前記設定値に信頼性があるかを確認するステップと、確認の結果、前記設定値が第三者によって改ざんされていることが認識された場合、設定値の読み込みを中断し、前記設定値が無効である旨を操作者に知らせて終了するステップと、前記制御手段が、外部記憶媒体に格納されている前記設定値を信頼性ありと判断した場合、その設定値を内部に読み込ませて前記表示パラメータの設定値に反映させた後、処理を終了させるステップとを、前記制御手段のマイクロコンピュータに実行させるプログラム。
【発明の詳細な説明】
【技術分野】
【０００１】
本発明はプロジェクタ、その表示パラメータの書込み読出し方法およびプログラムに係わり、特にユーザー好みの画質特性の設定手法を改善したプロジェクタ、その表示パラメータの書込み読出し方法およびプログラム
に関する。
【背景技術】
【０００２】
プロジェクタは、入力した画像をスクリーンまたは壁等に投写するプロジェクタであるが、画像供給源としては、近年はパーソナルコンピュータを介して与えられるのが一般的になってきている。
【０００３】
しかし、投写するたびにパーソナルコンピュータを用意する必要があり、プロジェクタの設置場所等を考慮すると更なる軽便生が要求される。この要求に対応する一例が引用特許文献１に記載されている。
【０００４】
引用特許文献１のプロジェクタは、ＩＣメモリカードリツジインターフエース部を設けることにより、画像情報が格納されているＩＣメモリカードリツジを接続するだけで、画像情報をスクリーン上に拡大投影できるようにする技術が開示されている。すなわち、外部のパソコン等で作成された画像情報が格納されたＩＣメモリカードがＩＣメモリカードインターフエース用コネクタに接続されると、ＭＰＵはＩＣメモリカードに格納されている画像情報を読み出し、読み出した画像情報を透過型液晶表示板に表示可能なフオーマツトに変換する。
【０００５】
変換処理を行つた後、ビデオＲＡＭにアドレスとデータを出力して書き込み動作に入る。液晶表示用コントローラは、ビデオＲＡＭに対して読み出しアドレスを出力し、読み出し動作に入る。次に、透過型液晶表示板に表示された文字や図表等は、ＯＨＰによつてスクリーン上に拡大投影される、というものである。
【０００６】
また、他の例としては引用特許文献２がある。引用特許文献２のプロジェクタは、ＣＲＴデイスプレイと、外部から着脱自在な記憶媒体と、ＣＲＴデイスプレイに表示する画像データを編集するためのデータを入力するデータ入力手段とを備えることにより、投影する画像データを容易に編集でき、また編集した画像データの再投影を容易に可能にしようというものである。すなわち、ＣＲＴデイスプレイ、キーボード、ＩＣカードの挿入および排出口であるカード挿入口を有する。
【０００７】
ＣＲＴデイスプレイに映し出される画像が、ヘツド部を介してスクリーンに投影される。つまり記憶装置として外部から着脱自在なＩＣカードを備えて、このＩＣカードに格納された画像データをＣＲＴデイスプレイに映しだし、スクリーンに投影する。これにより投影する画像データを編集でき、さらに編集された画像データの再投影が容易に可能になることが開示されている。
【０００８】
上述した例は、いずれも画像データをＩＣメモリカードリッジまたはＩＣカードに格納し、その画像データを利用するものであるが、一方、画像機器一般に共通した命題としては、プロジェクタで投写する画像も、入力した画像の画質を出来るだけ忠実に再現することが要求されており、その要求を満たすためにはスタンバイ時にあらかじめそのプロジェクタの特性をセッティングする必要がある。
【０００９】
セッティングする特性（表示パラメータ）としては、例えば、画面の明度、輝度、彩度、色相、ガンマ補正値、色温度およびホワイトバランスの設定値を含む画像調整値と、アスペクトおよび解像度の設定値を含む画像調整値設定値をプロジェクタの内部メモリに格納することになる。
【００１０】
上述した表示パラメータの設定値を内部メモリに格納するには搭載するメモリ容量に必ず限りがあり、ユーザーがプロジェクタの設定値を格納させるのに制限を強いられてきた経緯がある。
【００１１】
また、普段使用しているプロジェクタ以外の他のプロジェクタを使用する場合を考えると、所望の画質を得るためには初期状態からそのプロジェクタの設定を行わなければならない。
【００１２】
複数のプロジェクタを使用する場合の改善例としては、参照特許文献３がある。参照特許文献３の構成を示した図７を参照すると、自身の液晶プロジェクタ１１ａと、自身以外の液晶プロジェクタ１１ｂと、データの送受信を行うための通信ポート１９，２０と、自身以外の液晶プロジェクタ１１ｂ内に設けられ、自身に入力されている画像信号を最適な状態で投写するように調整したパラメータを格納する第１のメモリ１８と、パラメータを読み出す読出手段のマイコン１５と、自身の液晶プロジェクタ１１ａ内に設けられ、自身以外の液晶プロジェクタ１１ｂからの指示によって、自身以外の液晶プロジェクタ１１ｂで使用する表示パラメータを格納する第２のメモリ１８と、自身以外の液晶プロジェクタ１１ｂからの指示によって第２のメモリ１８に格納した表示パラメータを読み出して通信ポート１９から送出する送信手段を備えることが開示されている。
【００１３】
すなわち、自身以外の液晶プロジェクタとデータの送受信を行うための通信ポート１９．２０を持ち、自身以外の液晶プロジェクタ内にあるメモリ１８の中に、自身に入力されている画像信号を最適な状態で投写するように調整したパラメータを格納させる手段およびパラメータを読み出す手段を有し、また、自身以外の液晶プロジェクタからの指示によって、自身のプロジェクタの持つメモリ１８の中に自身以外の液晶プロジェクタで使用する表示パラメータを格納する手段と、自身以外の液晶プロジェクタからの指示によってメモリ１８に格納した表示パラメータを読み出して通信ポート１９から送出する手段を持つことによって、自身以外の液晶プロジェクタ内のメモリ１８を互いに共有することが可能になり、メモリを有効活用することができるというものである。
【００１４】
【特許文献１】特開平３―０３８６８７号公報（明細書第２頁、右上欄第３行目〜第１０行目、第２図。）。
【特許文献２】特開平３―２０９２３０号公報（明細書第２頁、左下欄意１６行目〜右下欄第５行目、第２図。）。
【特許文献３】特許第２９５９６２２号公報（段落「００１７」「００２１」、図１。）。
【発明の開示】
【発明が解決しようとする課題】
【００１５】
上述したように従来のプロジェクタは、入力した画像の画質を出来るだけ忠実に再現するために、スタンバイ時にあらかじめそのプロジェクタの特性をセッティングする必要があり、そのセッティングする表示パラメータとして、画面の明度、輝度、彩度、色相、ガンマ補正値、色温度およびホワイトバランスの設定値を含む画像調整値と、アスペクトおよび解像度の設定値を含む画像調整値設定値をプロジェクタの内部メモリに格納している。
【００１６】
表示パラメータの設定値を内部メモリに格納するには搭載するメモリ容量には限度があるので、ユーザーがプロジェクタの設定値を格納させるデータ量を極力制限する必要がある。
【００１７】
また、普段使用しているプロジェクタ以外の他のプロジェクタを使用する場合の例では、そのプロジェクタの所望の画質を得るためには初期状態からそのプロジェクタの設定を行わなければならない、という問題がある。
【００１８】
本発明の目的は、メモリ容量に限りのある内部メモリの代替手段として表示パラメータを外部記憶媒体に格納することと、外部記憶媒体に格納させた表示パラメータを用いてプロジェクタの設定をすることで、簡単にユーザー好みの画質特性の設定ができるプロジェクタを提供することにある。
【課題を解決するための手段】
【００１９】
本発明のプロジェクタは、入力画像データを好みの画質で投写するためにあらかじめ設定した表示パラメータの設定値を内部記憶手段または外部記憶媒体に選択的に格納する表示パラメータ格納制御機能を有することを特徴とする。
【００２０】
本発明のプロジェクタの他の特徴は、入力画像データを好みの画質で投写するためにあらかじめ設定した表示パラメータの設定値を格納する外部記憶媒体と、前記表示パラメータを前記外部記憶媒体から入出力するための表示パラメータインタフェース手段と、前記表示パラメータを設定するためのパラメータ設定用オンスクリーンメニューと、前記表示パラメータを内部記憶手段および前記外部記憶媒体のうちの一方を選択するための選択操作用オンスクリーンメニューと、待機状態時に前記外部記憶媒体の挿入に応答して、その挿入状態を認識するとともに前記表示パラメータインタフェース手段を介して前記外部記憶媒体から前記表示パラメータを読み込み、読み込んだ前記表示パラメータに基づき投写動作を実行させ、かつこれらの構成要素間の協働動作を制御する制御手段とを備えることにある。
【００２１】
本発明のプロジェクタのまた他の特徴は、入力画像データを好みの画質で投写するためにあらかじめ設定した表示パラメータの設定値を格納する外部記憶媒体と、前記表示パラメータおよび前記画像データをそれぞれ前記外部記憶媒体から入出力するための画像／表示パラメータインタフェース手段と、前記表示パラメータを設定するためのパラメータ設定用オンスクリーンメニューと、前記表示パラメータを内部記憶手段および前記外部記憶媒体のうちの一方を選択するための選択操作用オンスクリーンメニューと、前記画像データを取り込み投写処理する画像処理手段と、待機状態時に前記外部記憶媒体の挿入に応答して、その挿入状態を認識するとともに前記表示パラメータインタフェース手段を介して前記外部記憶媒体から前記表示パラメータを読み込み、読み込んだ前記表示パラメータに基づき投写動作を実行させ、かつこれらの構成要素間の協働動作を制御する制御手段とを備えることにある。
【００２２】
本発明のプロジェクタのさらに他の特徴は、入力画像データを好みの画質で投写するプロジェクタにおいて、前記好みの画質で投写するためにあらかじめ設定した表示パラメータの設定値が格納されるとともに複数の前記プロジェクタに共用される単一の外部記憶媒体と、前記表示パラメータを前記外部記憶媒体から入出力するための表示パラメータインタフェース手段と、前記表示パラメータを設定するためのパラメータ設定用オンスクリーンメニューと、前記表示パラメータを内部記憶手段および前記外部記憶媒体のうちの一方を選択するための選択操作用オンスクリーンメニューと、前記表示パラメータに基づき投写動作を実行させ、かつこれらの構成要素間の協働動作を制御する制御手段とを備えることもできる。
【００２３】
本発明のプロジェクタのさらにまた他の特徴は、入力画像データを好みの画質で投写するためにあらかじめ設定した表示パラメータの設定値を格納する外部記憶媒体と、前記表示パラメータおよび前記画像データをそれぞれ前記外部記憶媒体から入出力するための画像／表示パラメータインタフェース手段と、前記表示パラメータを設定するためのパラメータ設定用オンスクリーンメニューと、前記表示パラメータを内部記憶手段および前記外部記憶媒体のうちの一方を選択するための選択操作用オンスクリーンメニューと、前記画像データを取り込み投写処理する画像処理手段と、待機状態時に前記外部記憶媒体の挿入に応答して、その挿入状態を認識するとともに前記表示パラメータインタフェース手段を介して前記外部記憶媒体から前記表示パラメータを読み込み、読み込んだ前記表示パラメータに基づき投写動作を実行させ、かつこれらの構成要素間の協働動作を制御する制御手段とを備え、前記制御手段の制御に基づき複数の前記プロジェクタ間で前記外部記憶媒体を互いに共有することにある。
【００２４】
また、前記外部記憶媒体に格納された前記表示パラメータとして、少なくとも画面の明度、輝度、彩度、色相、ガンマ補正値、色温度およびホワイトバランスの設定値を含む画像調整値と、少なくともアスペクトおよび解像度の設定値を含む画像調整値とで構成することができる。
【００２５】
さらに、複数の前記外部記憶媒体を有し、前記外部記憶媒体それぞれには前記表示パラメータとして互いに異なる値が設定されてもよい。
【００２６】
さらにまた、前記外部記憶媒体が半導体素子で構成された媒体でもよい。
【００２７】
また、前記外部記憶媒体に格納された前記表示パラメータの設定値を第三者の改ざんから保護するセキュリティ機能を有することができる。
【００２８】
本発明のプロジェクタの表示パラメータ書込み読出し方法は、入力画像データを好みの画質で投写するためにあらかじめ設定した表示パラメータの設定値を格納する外部記憶媒体と、前記表示パラメータを前記外部記憶媒体から入出力するための表示パラメータインタフェース手段と、前記表示パラメータを設定するためのパラメータ設定用オンスクリーンメニューと、前記表示パラメータを内部記憶手段および前記外部記憶媒体のうちの一方を選択するための選択操作用オンスクリーンメニューと、前記表示パラメータに基づき投写動作を実行させ、かつこれらの構成要素間の協働動作を制御する制御手段とを備え、前記外部記憶媒体の表示パラメータ使用時には、操作者が前記外部記憶媒体を挿入し、かつ前記選択操作用オンスクリーンメニューを有効状態にするとともに、前記有効状態に応答して、前記制御手段が前記制御手段が前記表示パラメータインタフェース手段を介して前記外部記憶媒体から表示パラメータを読込み、読み込んだ表示パラメータに基づき投写動作を実行させることにある。
【００２９】
本発明のプロジェクタの表示パラメータ書込み読出し方法の他の特徴は、入力画像データを好みの画質で投写するためにあらかじめ設定した表示パラメータの設定値を格納する外部記憶媒体と、前記表示パラメータを前記外部記憶媒体から入出力するための表示パラメータインタフェース手段と、前記表示パラメータを設定するためのパラメータ設定用オンスクリーンメニューと、前記表示パラメータを内部記憶手段および前記外部記憶媒体のうちの一方を選択するための選択操作用オンスクリーンメニューと、前記表示パラメータに基づき投写動作を実行させ、かつこれらの構成要素間の協働動作を制御する制御手段とを備え、待機状態時に前記外部記憶媒体を挿入すると、その挿入された外部記憶媒体を前記制御手段が認識するとともに前記表示パラメータインタフェース手段を介して前記外部記憶媒体から前記表示パラメータを読み込み、読み込んだ前記表示パラメータに基づき投写動作を実行させることにある。
【００３０】
本発明のプロジェクタの表示パラメータ書込み読出し方法のまた他の特徴は、入力画像データを好みの画質で投写するプロジェクタの表示パラメータ書込み読出し方法において、前記好みの画質で投写するためにあらかじめ設定した表示パラメータの設定値を格納する単一の外部記憶媒体と、前記表示パラメータを前記外部記憶媒体から入出力するための表示パラメータインタフェース手段と、前記表示パラメータを設定するためのパラメータ設定用オンスクリーンメニューと、前記表示パラメータを内部記憶手段および前記外部記憶媒体のうちの一方を選択するための選択操作用オンスクリーンメニューと、前記表示パラメータに基づき投写動作を実行させ、かつこれらの構成要素間の協働動作を制御する制御手段とを備え、前記制御手段の制御に基づき複数の前記プロジェクタ間で単一の前記外部記憶媒体を互いに共用することにある。
【００３１】
本発明のプロジェクタの表示パラメータ書込み読出し方法のさらにまた他の特徴は、入力画像データを好みの画質で投写するためにあらかじめ設定した表示パラメータの設定値を格納する外部記憶媒体と、前記表示パラメータおよび前記画像データをそれぞれ前記外部記憶媒体から入出力するための画像／表示パラメータインタフェース手段と、前記表示パラメータを設定するためのパラメータ設定用オンスクリーンメニューと、前記表示パラメータを内部記憶手段および前記外部記憶媒体のうちの一方を選択するための選択操作用オンスクリーンメニューと、前記画像データを取り込み投写処理する画像処理手段と、待機状態時に前記外部記憶媒体の挿入に応答して、その挿入状態を認識するとともに前記表示パラメータインタフェース手段を介して前記外部記憶媒体から前記表示パラメータを読み込み、読み込んだ前記表示パラメータに基づき投写動作を実行させ、かつこれらの構成要素間の協働動作を制御する制御手段とを備え、
待機状態時に前記外部記憶媒体を挿入すると、その挿入された外部記憶媒体を前記制御手段が認識するとともに前記画像／表示パラメータインタフェース手段を介して前記外部記憶媒体から前記表示パラメータおよび前記画像データをそれぞれ読み込み、読み込んだ前記表示パラメータに基づき前記画像データの投写動作を実行させることにある。
【００３２】
本発明のプロジェクタの表示パラメータ書込み読出し方法のまた他の特徴は、入力画像データを好みの画質で投写するためにあらかじめ設定した表示パラメータの設定値を格納する外部記憶媒体と、前記表示パラメータを前記外部記憶媒体から入出力するための表示パラメータインタフェース手段と、前記表示パラメータを設定するためのパラメータ設定用オンスクリーンメニューと、前記表示パラメータを内部記憶手段および前記外部記憶媒体のうちの一方を選択するための選択操作用オンスクリーンメニューと、前記表示パラメータに基づき投写動作を実行させ、かつこれらの構成要素間の協働動作を制御する制御手段とを用いて、
操作者が前記表示パラメータを設定した結果の設定値をプロジェクタ内部に格納させるか、外部記憶媒体に格納させるかを選択するステップと、操作者がプロジェクタ内部に格納させる方を選択した場合は、前記制御御手段がそのまま処理を終了するステップと、操作者が外部記憶媒体に設定を格納する方を選択した場合は、前記制御手段が外部記憶媒体の装着を確認するステップと、
確認の結果、外部記憶媒体が未装着と認知された場合は前記制御手段がエラー処理を行って外部記憶媒体に設定値を格納しないで終了するステップと、
確認の結果、外部記憶媒体が装着されていた場合は、前記制御手段が設定値に対して保護およびセキュリティ処理を施した後、再びその設定を読み込んでプロジェクタの投写画面に反映できる処理を施すステップと、
その反映できる処理を施した設定値を外部記憶媒体に格納し終了するステップと、を実行することにある。
【００３３】
また、前記エラー処理は、前記設定値が格納できなった旨を操作者に対し知らせるステップである。
【００３４】
さらに、前記保護およびセキュリティ処理を施されて前記外部記憶媒体に格納された設定値をプロジェクタに読み込ませる処理ステップは、前記制御手段が、外部記憶媒体に格納された設定値の前記保護・セキュリティのチェックを行い、前記設定値に信頼性があるかを確認するステップと、
確認の結果、前記設定値が第三者によって改ざんされていることが認識された場合、設定値の読み込みを中断し、前記設定値が無効である旨を操作者に知らせて終了するステップと、前記制御手段が、外部記憶媒体に格納されている前記設定値を信頼性ありと判断した場合、その設定値を内部に読み込ませて前記表示パラメータの設定値に反映させた後、処理を終了させるステップと、を実行させる前記外部記憶媒体に格納させることができる。
【発明の効果】
【００３５】
本発明の効果として、従来は、プロジェクタ内部に用意されているメモリ容量の制限を受けるのでユーザーが設定する表示パラメータの量もその制限を受けて少なくせざるを得なかったが、本発明では、表示パラメータの設定値を外部記憶媒体に格納させるので、表示パラメータの量には制限がなくなり、かつ、初めて使用するプロジェクタにおいても、表示パラメータの設定値を外部記憶媒体から読み込ませることで、通常使用する投写画質と同じような状態でプロジェクタを使用することが可能になり、その結果、ユーザー設定値の格納するのに制限が無くなったことと、特定のプロジェクタに設定した設定値を他のプロジェクタにも流用することが出来るので、プロジェクタの使用環境が簡素化され、セッティングの作業効率も向上する。
【発明を実施するための最良の形態】
【００３６】
まず本発明の概要を説明すると、プロジェクタに外部記憶媒体に対してプロジェクタの画質特性を決める表示パラメータとして、画像調整値である、明るさ、コントラスト、彩度、色相、ガンマ補正、色温度、ホワイトバランスと、画像調整値である、アスペクト、解像度などを対象とする設定値を格納させる機能を備えさせ、記憶媒体としては、フラッシュメモリカードとそれに準じる媒体を用いる。
【実施例１】
【００３７】
本発明の実施例１を図面を参照しながら説明する。
図１は本発明の実施例１のプロジェクタの構成を示すブロック図であり、図２は実施例１の応用例の構成図である。図１を参照すると、本発明のプロジェクタ１０は、外部から画像データを入力する画像インタフェース手段１と、画像インタフェース手段１を介して受けた画像データを所定の画質特性に補正処理する画像処理手段２と、表示パラメータを外部記憶媒体４から入出力するための表示パラメータインタフェース手段３と、入力画像データをあらかじめ定める好みの画質で投写するために設定した表示パラメータの設定値を格納する外部記憶媒体４と、表示パラメータを設定するためのパラメータ設定用オンスクリーンメニュー（不図示）と、表示パラメータを内部記憶手段および外部記憶媒体４のうちの一方を選択するための選択操作用オンスクリーンメニュー（不図示）と、待機状態時に外部記憶媒体４の挿入に応答して、その挿入状態を認識するとともに前記表示パラメータインタフェース手段３を介して外部記憶媒体４から表示パラメータを読み込み、読み込んだ表示パラメータに基づき画像処理手段２に画像データの画質特性を処理させた後、画像投写手段７に投写動作を実行させ、かつこれらの構成要素間の協働動作を制御する制御手段（８ビット１チップマイクロコンピュータを含む）６と、画像投写手段７とを備える。
【００３８】
画像インタフェース１は、制御手段６の制御の下に外部から画像信号を入力するための入力手段である。画像処理手段２は、制御手段６の制御の下に画像インタフェース１の出力する画像信号を入力して、赤（Ｒ）、緑（Ｇ）、青（Ｂ）の３原色をそれぞれ８ビットのデジタルデータに変換し、さらに投写画像の特性をユーザ所望の画質に設定するための表示パラメータとして、明るさ、コントラスト、彩度、色相、ガンマ補正、色温度，アスペクト、解像度などを設定する。
【００３９】
設定する調整項目としては例えば次のような項目がある。数値は段階を示す。
【００４０】
画像調整値の設定値
明るさ（−６４〜６４）
コントラスト（０〜２５５）
カラー（０〜１２７）
色相（０〜６０）
シャープネス（０〜４７）
ガンマ補正（３段階：ダイナミック／ナチュラル／ソフト）
色温度（６段階：５０００／６５００／７８００／８５００
／９３００／１０５００）
ホワイトバランス（明るさＲ／Ｇ／Ｂ−６４〜６４、
コントラストＲ／Ｇ／Ｂ０〜２５５）
画像調整値の設定値
アスペクト（４段階：４：３／レターボックス／１６：９／ワイドズーム）
解像度（２段階：フル／リアル）
各々の設定は、１バイト（０ｘＦＦ）単位でメモリに格納されている。
【００４１】
なお、ガンマ補正、色温度等の設定がＸ段階と表現したものに関しては、
０ｘ０１はＡ設定
０ｘ０２はＢ設定
０ｘ０３はＣ設定
と、データと設定を対比させる形で制御手段６は判断することになる。
【００４２】
内部記憶手段および外部記憶媒体４に設定値を格納する流れの一例を挙げると、
「ＲＡＭアドレス指定」
↓
「データ転送」
↓
「制御手段６での認識」
↓
「画像処理手段２での処理」
となる。すなわち、
ガンマ補正の場合は、
下位４ビット
「ＲＡＭアドレス指定」：０ｘ００００００１０
「データ転送」：０ｘ０１
「制御手段６での認識」：ダイナミック
「画像処理手段２での処理」：ＣＰＵで演算された結果を処理するように命令を受ける。
【００４３】
上位４ビット
「ＲＡＭアドレス指定」：０ｘ００００００１０
「データ転送」：０ｘ０２
「制御手段６での認識」：ナチュラル
「画像処理手段２での処理」：ＣＰＵで演算された結果を処理するように命令を受ける。
【００４４】
明るさの場合は、
下位４ビット
「ＲＡＭアドレス指定」    ：０ｘ００００００２０
「データ転送」            ：０ｘ００
「制御手段６での認識」    ：数値「−６４」
「画像処理手段２での処理」：明るさ「−６４」で処理するように命令を受ける。
【００４５】
上位４ビット
「ＲＡＭアドレス指定」    ：０ｘ００００００２０
「データ転送」            ：０ｘ３Ｆ
「制御手段６での認識」    ：数値「０」
「画像処理手段２での処理」：明るさ「０」で処理するように命令を受ける。
【００４６】
コントラストの場合
下位４ビット
「ＲＡＭアドレス指定」    ：０ｘ００００００３０
「データ転送」            ：０ｘ００
「制御手段６での認識」    ：数値「０」
「画像処理手段２での処理」：コントラスト「０」で処理するように命令を受ける。
【００４７】
上位４ビット
「ＲＡＭアドレス指定」    ：０ｘ００００００３０
「データ転送」            ：０ｘ３Ｆ
「制御手段６での認識」    ：数値「６３」
「画像処理手段２での処理」：コントラスト「６３」で処理するよう命令を受ける。
【００４８】
上記の例で説明すると、ユーザ所望の画質を設定した表示パラメータの設定値のデータ例えばコントラストの０ｘ００は、バイナリデータとして外部記憶媒体４に保存され、保存されたアドレス０ｘ００００００３０により制御手段６のＣＰＵは設定項目を解釈することになる。
【００４９】
その項目によりデータにあるそのままの数値０Ｘ００が調整値に反映されたり（コントラストなど）、ガンマ補正のように設定段階をもつものは制御手段６で演算処理後、画像処理手段２で理解できる命令に変換させることになる。
【００５０】
なお、それぞれの設定と表示パラメータを内部記憶手段および外部記憶媒体のうちのいずれかを選択するための選択操作とはプロジェクタ１０の液晶投写手段７の備える液晶画面に表示されるオンスクリーンメニューに基づいて行われる。また、コントラストなどはスライドバーで、ガンマ補正など設定段階をもつものはラジオボタンで選択させる。
【００５１】
表示パラメータインタフェース３は、本発明に直接かかわる構成要素であり、制御手段６の制御の下に外部記憶媒体４に表示パラメータの設定値を格納させることと、逆に、外部記憶媒体４に格納された表示パラメータの設定値を読出し、内部記憶手段５に格納するためのインタフェースである。
【００５２】
外部記憶媒体４は、半導体素子で構成されるものであり、例えばフラッシュメモリカード、またはそれに準じる記憶媒体である。内部記憶手段５は、プロジェクタ１０にあらかじめ内蔵され、表示パラメータの設定値が書き込まれ、主としてＤＲＡＭで構成する半導体記憶素子である。
【００５３】
制御手段６は、例えば８ビットの１チップマイクロコンピュータであり、本プロジェクタ１０内の各機能ブロックの動作制御を行う。画像投写手段７は、画像処理手段２でユーザの所望の画質特性が設定処理された外部入力画像を表示し外部スクリーンへ投写するための液晶表示画面を含む投写系光学系の構成要素である。
【００５４】
従来は、法事装置内部に用意されているメモリ容量に制限を受け、ユーザー設定の量には限りがあった。本発明では、設定値を外部記憶媒体に格納させるので、事実上設定の数には制限がなくなることになる。また、初めて使用するプロジェクタにおいても、設定値を格納した媒体の値を読み込ませることで、いつもと変わらない状態でプロジェクタを使用することが可能になる。
【００５５】
上述したように、外部記憶媒体４に設定値を格納する機能をプロジェクタ１０に有することによって、ユーザー設定値の無制限格納化および個人設定値の流用化が出来るようになる。
【００５６】
無制限記録化とは、設定値に外部記憶媒体を用いるので、データ量に配慮することなく必要な表示パラメータを格納していくことを意味する。
【００５７】
個人設定値の流用化とは、同機種のプロジェクタが複数、異なる場所（会議室Ａ、Ｂなど）があるとすると、異なる場所のプロジェクタであっても同じ画像／画像設定で使用したい場合に、個人設定値を保存した外部記憶媒体４を携行することによって、その設定値を適用させることができ、同一設定でプロジェクタを使用することを意味する。
【００５８】
複数台のプロジェクタが使用されるとき、それぞれ固有の特性があるので、ここではプロジェクタは同機種のものを前提として、この同一の外部記憶媒体のパラメータを適用すれば、投写画面上は同じような画質特性で見える。
【００５９】
複数の外部記憶媒体４を使用する場合の説明用ブロック図を示した図２を参照すると、複数示した外部記憶媒体４については、所定の設定値を複製した外部記憶媒体Ａ、Ａ’、Ａ”またはＢ、Ｂ’、Ｂ”という組み合わせや、複数の外部記憶媒体４それぞれには表示パラメータとして互いに異なる値が設定されている、つまり全く異なった設定値を持つＡ、Ｂという組み合わせをとることができることを示している。これらの組み合わせを適用する音で多彩な画質特性を短時間で設定することが出来る。
【００６０】
次に、本実施例の動作を説明する。
【００６１】
まず、基本的なプロジェクタ１０の設定手順は、ユーザーがプロジェクタ１０の画像をスクリーンに投写する。ユーザーによっては、明るさやコントラスト、色温度やホワイトバランスなどを調整し、好みの設定に変更する。ここで、その設定値の格納先に内部記憶手段５の他に外部記憶媒体４を選択可能とする。
【００６２】
この外部記憶媒体４に格納させる格納方法のフローチャートを示した図３を参照すると、まず、制御手段６のマイクロコンピュータのＲＯＭにあらかじめ格納された処理フローに従い、設定した表示パラメータの設定結果を従来どおりプロジェクタ１０に内蔵した内部記憶手段５に格納させるか、外部記憶媒体４に格納させるかを選択させることにする（ステップＳ２）。
【００６３】
ここで、設定値をプロジェクタ１０内部の内部記憶手段５に格納させるのであれば、ステップＳ２を実行してそのままこの処理は終了する。
【００６４】
一方、外部記憶媒体４にプロジェクタ１０の設定を格納する場合は、まず、外部記憶媒体４の確認が必要となる(ステップＳ３)。この確認ステップＳ３で、外部記憶媒体４が存在しないと認知された場合、エラー処理を行って(ステップＳ４)、外部記憶媒体４に設定値を格納しないで終了することになる。ここでエラー処理ステップＳ４としては、ユーザーに対し設定値が格納できなった旨を知らせる処理などを実行する。
【００６５】
ステップＳ３の判断の結果、外部記憶媒体４の存在が認知された場合、後に設定値が第三者によって改ざんされないように保護・セキュリティを施し（ステップＳ５）、再びその設定を読み込んでプロジェクタ１０に反映できるように細工する。続いてその細工を施した設定値を外部記憶媒体４に格納し(ステップＳ６)、終了とする。
【００６６】
次に、外部記憶媒体４の設定値をプロジェクタ１０の内部記憶手段４に読み込ませるフローチャートを示した図４を参照すると、まず、外部記憶媒体４に格納された設定値の保護・セキュリティのチェックを行う（ステップＳ１１）。このチェックでは、その設定値に信頼性があるかどうかを判断する（ステップＳ１２）。
【００６７】
ステップＳ１２で判断した結果、設定値が第三者によって改ざんされていた場合、設定値はプロジェクタ１０に読み込まず（ステップＳ１３）に、設定値が無効である旨をユーザーに知らせるようなエラー処理を施し(ステップＳ１４)、この読み込み動作を終了させる。
【００６８】
一方、ステップＳ１２において外部記憶媒体に格納されている設定値が信頼性ありと判断された場合、その設定値を表示パラメータインタフェース手段３を介してプロジェクタ１０の内部記憶手段５に読み込ませ（ステップＳ１５）、設定を反映させ、終了する。
【００６９】
上述したように、ユーザーは外部記憶媒体の数が許す限り、プロジェクタ１０の設定値を格納することが可能となる。（ユーザー設定値の無制限格納化）
【実施例２】
【００７０】
本発明の実施例２の構成を示したブロック図を示した図５を参照すると、外部から画像データを入力する画像インタフェース手段１と、画像インタフェース手段１を介して受けた画像データを所定の画質特性に補正処理する画像処理手段２と、表示パラメータを外部記憶媒体４から入出力するための表示パラメータインタフェース手段３と、入力画像データをあらかじめ定める好みの画質で投写するために設定した表示パラメータの設定値を格納する外部記憶媒体４と、表示パラメータを設定するためのパラメータ設定用オンスクリーンメニュー（不図示）と、表示パラメータを内部記憶手段および外部記憶媒体４のうちの一方を選択するための選択操作用オンスクリーンメニュー（不図示）と、待機状態時に外部記憶媒体４の挿入に応答して、その挿入状態を認識するとともに前記表示パラメータインタフェース手段３を介して外部記憶媒体４から表示パラメータを読み込み、読み込んだ表示パラメータに基づき画像処理手段２に画像データの画質特性を処理させた後、画像投写手段７に投写動作を実行させ、かつこれらの構成要素間の協働動作を制御する制御手段（８ビット１チップマイクロコンピュータを含む）６と、画像投写手段７とを備え、制御手段６の制御に基づき複数のプロジェクタ間で外部記憶媒体４を互いに共有する構成である。
【００７１】
その基本構成は図１のとおりであるが、使用シーンとしてプロジェクタを複数台利用する点が実施例１と異なる。
【００７２】
すなわち、実施例１では、１台のプロジェクタにたいして１枚または複数枚の外部記憶媒体４を用意し、これらの外部記憶媒体４にプロジェクタの設定値を格納させ、または読込ませる動作については実施例１のとおりである。ここで異なるところは、第１のプロジェクタ１０ａの内部記憶手段５に格納した設定値を他の第２のプロジェクタ１０ｂに読み込ませることにある。
【００７３】
第１のプロジェクタ１０ａから外部記憶媒体４へ設定値を格納することと、外部記憶媒体４か第２のプロジェクタ１０ｂへの設定値の読み込み動作については、実施例１と同様である。
【００７４】
同じ機種のプロジェクタであれば、基本的な特性は同じとみなせるので、同じ設定値が格納された外部記憶媒体４を第２のプロジェクタ１０ｂに対しても適用できる。
【００７５】
本実施例２で得られる効果としては、ユーザー好みのプロジェクタの設定値を、外部記憶媒体４に格納させ、持ち運ぶことにより、他のプロジェクタでも同じユーザー好みの画質特性の設定で使用できることが可能となる（個人設定値の流用化）。
【実施例３】
【００７６】
次に、実施例３を説明する。
【００７７】
本発明の実施例３の構成を示したブロック図を示した図６を参照すると、本発明のプロジェクタ１０は、画像／表示パラメータインタフェース８を介して受けた画像データを所定の画質特性に補正処理する画像処理手段２と、表示パラメータを外部記憶媒体４から入出力するための表示パラメータインタフェース手段３と、入力画像データと入力画像データをあらかじめ定める好みの画質で投写するために設定した表示パラメータの設定値とをそれぞれ格納する外部記憶媒体４と、表示パラメータを設定するためのパラメータ設定用オンスクリーンメニュー（不図示）と、表示パラメータを内部記憶手段および外部記憶媒体４のうちの一方を選択するための選択操作用オンスクリーンメニュー（不図示）と、待機状態時に外部記憶媒体４の挿入に応答して、その挿入状態を認識するとともに画像／表示パラメータインタフェース８を介して外部記憶媒体４から画像データを画像処理手段に読込むとともに表示パラメータも読み込み、読み込んだ表示パラメータに基づき画像処理手段２に画像データの画質特性を処理させ画像投写手段７に投写動作を実行させ、かつこれらの構成要素間の協働動作を制御する制御手段（８ビット１チップマイクロコンピュータを含む）６と、画像投写手段７とを備える。
【００７８】
実施例１と異なる点は、画像インタフェース手段１を備えず、その代わりに画像／表示パラメータインタフェース８を備えることである。画像／表示パラメータインタフェース８は、外部からの画像データおよび表示パラメータを同一外部記憶媒体９から入力する。
【００７９】
外部記憶媒体９の外部記憶媒体ディレクトリ構成は、次のようにルートディレクトリｒｏｏｔの下に、ｄａｔａおよびｉｍａｇｅそれぞれのファイルをサブディレクトリとして設ける。
【００８０】
／−ｒｏｏｔ
−ｄａｔａ←画像設定値が格納（保存）されている（バイナリファイル）
−ｉｍａｇｅ←画像データが格納（保存）されている（ＪＰＥＧファイルやＢＭＰファイル）
・
・
・
・
上記のように、１枚の外部記憶媒体９の中に表示パラメータｄａｔａおよび画像データｉｍａｇｅ（ＪＰＥＧファイルやＢＭＰファイル）が格納されているので、表示パラメータｄａｔａを内部記憶手段５に読込ませ、画像データｉｍａｇｅを画像処理手段２に読込ませる。それ以降の処理は前述した実施例１と同様である。
【００８１】
この実施例３ではインタフェース部分の共通化によりその分だけ構成要素が減り、原価低減に寄与する。
【産業上の利用可能性】
【００８２】
本発明の活用例として、表示パラメータを外部記憶媒体に格納することと、外部記憶媒体に格納させた表示パラメータを用いてプロジェクタの設定をすることで、簡単にユーザー好みの画質特性の設定ができるので、表示パラメータの設定データ量に配慮することなく必要な表示パラメータを格納していくことができ、さらに、同機種のプロジェクタが複数、異なる場所（会議室Ａ、Ｂなど）があるとすると、異なる場所のプロジェクタであっても同じ画像／画像設定で使用したい場合に、個人設定値を保存した外部記憶媒体を携行することによって、その設定値を適用させることができ、同一設定でプロジェクタを使用する場合に、短時間でセッティングが可能となり、会場規模の大小に関わらず会議運営上有効である。
【図面の簡単な説明】
【００８３】
【図１】本発明の実施例１のプロジェクタの構成を示すブロック図である。
【図２】複数の外部記憶媒体４を使用する場合の説明用ブロック図である。
【図３】外部記憶媒体４に格納させる格納方法のフローチャートである。
【図４】外部記憶媒体４の設定値をプロジェクタ１０の内部記憶手段４に格納させる格納方法のフローチャートである。
【図５】本発明の実施例２の構成を示したブロック図である。
【図６】本発明の実施例３の構成を示したブロック図である。
【図７】参照特許文献３の構成を示したブロック図である。
【符号の説明】
【００８４】
１    画像インタフェース
２    画像処理手段
３    表示パラメータインタフェース
４，９    外部記憶媒体
５    内部記憶手段
６    制御手段
７    画像投写手段
８    画像／表示パラメータインタフェース
１０，１０ａ，１０ｂ    プロジェクタ
１１ａ，１１ｂ    液晶プロジェクタ
１５    マイコン
１８    第２のメモリ
１９，２０    通信ポート
【図１】
2005099620.tif 000003
【図２】
2005099620.tif 000004
【図３】
2005099620.tif 000005
【図４】
2005099620.tif 000006
【図５】
2005099620.tif 000007
【図６】
2005099620.tif 000008
【図７】
2005099620.tif 000009